(57)【特許請求の範囲】
【請求項１】
第１の水平層と、前記第１の水平層の下に位置する第２の水平層と、前記第２の水平層の下に位置する第３の水平層とを備えるマットレスを備える装置であって、
前記第１の水平層はラテックスフォームを備え、
前記第２の水平層はメモリフォームを備え、
前記第３の水平層はポリウレタンフォームを備え、
前記第１の水平層は、４０％を上回る反発を有し、
前記第１の水平層は、毎分約０．０９９１立方メートル（３．５立方フィート）を上回るエアフローを有し、
前記第１の水平層は、約０．５秒未満の復元性を有する装置。
【請求項２】
前記第１の水平層は、少なくとも２のサポート係数を有する、請求項１に記載の装置。
【請求項３】
前記第１の水平層は、１立方フィート（０．０２８３立方メートル）当たり０．９０７〜１．８１キログラム（２〜４ポンド）の密度を有する、請求項１に記載の装置。
【請求項４】
前記第１の水平層は少なくとも２のサポート係数を有し、且つ前記第１の水平層は２．７２〜８．１６キログラム（６〜１８ポンド）の２５％窪み力による撓みを有する、請求項１に記載の装置。
【請求項５】
前記第１の水平層は少なくとも２のサポート係数を有し、且つ前記第１の水平層は１立方フィート（０．０２８３立方メートル）当たり０．９０７〜１．８１キログラム（２〜４ポンド）の密度を有する、請求項１に記載の装置。
【請求項６】
前記第１の水平層は２．７２〜８．１６キログラム（６〜１８ポンド）の２５％窪み力による撓みを有し、且つ前記第１の水平層は１立方フィート（０．０２８３立方メートル）当たり０．９０７〜１．８１キログラム（２〜４ポンド）の密度を有する、請求項１に記載の装置。
【請求項７】
前記第１の水平層は少なくとも２のサポート係数を有し、前記第１の水平層は２．７２〜８．１６キログラム（６〜１８ポンド）の２５％窪み力による撓みを有し、且つ前記第１の水平層は１立方フィート（０．０２８３立方メートル）当たり０．９０７〜１．８１キログラム（２〜４ポンド）の密度を有する、請求項１に記載の装置。
【請求項８】
第１の水平層と、前記第１の水平層の下に位置する第２の水平層と、前記第２の水平層の下に位置する第３の水平層とを備えるマットレスを備える装置であって、
前記第１の水平層はラテックスフォームを備え、
前記第２の水平層はメモリフォームを備え、
前記第３の水平層はポリウレタンフォームを備え、
前記第１の水平層は少なくとも３．５のサポート係数を有し、
前記第１の水平層は、４０％を上回る反発を有し、
前記第１の水平層は、毎分約０．０９９１立方メートル（３．５立方フィート）を上回るエアフローを有し、
前記第１の水平層は、約０．５秒未満の復元性を有する装置。
【請求項９】
前記第１の水平層は、２．７２〜８．１６キログラム（６〜１８ポンド）の２５％窪み力による撓みを有する、請求項８に記載の装置。
【請求項１０】
前記第１の水平層は、１立方フィート（０．０２８３立方メートル）当たり０．９０７〜１．８１キログラム（２〜４ポンド）の密度を有する、請求項８に記載の装置。
【請求項１１】
前記第１の水平層は２．７２〜８．１６キログラム（６〜１８ポンド）の２５％窪み力による撓みを有し、且つ前記第１の水平層は１立方フィート（０．０２８３立方メートル）当たり０．９０７〜１．８１キログラム（２〜４ポンド）の密度を有する、請求項８に記載の装置。
【請求項１２】
第１の水平層と、前記第１の水平層の下に位置する第２の水平層と、前記第２の水平層の下に位置する第３の水平層とを備えるマットレスを備える装置であって、
前記第１の水平層はラテックスフォームを備え、
前記第２の水平層はメモリフォームを備え、
前記第３の水平層はポリウレタンフォームを備え、
前記第１の水平層は、４０％を上回る反発を有し、
前記第１の水平層は、毎分約０．０９９１立方メートル（３．５立方フィート）を上回るエアフローを有し、
前記第１の水平層は、約０．５秒未満の復元性を有し、且つ前記第１の水平層は、２．７２〜８．１６キログラム（６〜１８ポンド）の２５％窪み力による撓みを有する装置。
【請求項１３】
前記第１の水平層は、１立方フィート（０．０２８３立方メートル）当たり０．９０７〜１．８１キログラム（２〜４ポンド）の密度を有する、請求項１２に記載の装置。
【請求項１４】
第１の水平層と、前記第１の水平層の下に位置する第２の水平層と、前記第２の水平層の下に位置する第３の水平層とを備えるマットレスを備える装置であって、
前記第１の水平層はラテックスフォームを備え、
前記第２の水平層はメモリフォームを備え、
前記第３の水平層はポリウレタンフォームを備え、
前記第２の水平層は、少なくとも１秒の復元性を有し、
前記第１の水平層は、４０％を上回る反発を有し、
前記第１の水平層は、毎分約０．０９９１立方メートル（３．５立方フィート）を上回るエアフローを有し、
前記第１の水平層は、約０．５秒未満の復元性を有する装置。
【請求項１５】
前記第２の水平層は、毎分少なくとも０．０２８３立方メートル（１立方フィート）のエアフローを有する、請求項１４に記載の装置。
【請求項１６】
前記第２の水平層は、２．６未満のサポート係数を有する、請求項１４に記載の装置。
【請求項１７】
前記第２の水平層は、４．４４°Ｃ〜２６．７°Ｃ（４０°Ｆ〜８０°Ｆ）のガラス転移温度を有する、請求項１４に記載の装置。
【請求項１８】
第１の水平層と、前記第１の水平層の下に位置する第２の水平層と、前記第２の水平層の下に位置する第３の水平層とを備えるマットレスを備える装置であって、
前記第１の水平層はラテックスフォームを備え、
前記第２の水平層はメモリフォームを備え、
前記第３の水平層はポリウレタンフォームを備え、
前記第２の水平層は、２．７２〜８．１６キログラム（６〜１８ポンド）の２５％窪み力による撓みを有し、
前記第１の水平層は、４０％を上回る反発を有し、
前記第１の水平層は、毎分約０．０９９１立方メートル（３．５立方フィート）を上回るエアフローを有し、
前記第１の水平層は、約０．５秒未満の復元性を有する装置。
【請求項１９】
前記第２の水平層は、毎分少なくとも０．０２８３立方メートル（１立方フィート）のエアフローを有する、請求項１８に記載の装置。
【請求項２０】
前記第２の水平層は、２．６未満のサポート係数を有する、請求項１８に記載の装置。
【請求項２１】
前記第２の水平層は、４．４４°Ｃ〜２６．７°Ｃ（４０°Ｆ〜８０°Ｆ）のガラス転移温度を有する、請求項１８に記載の装置。
【請求項２２】
第１の水平層と、前記第１の水平層の下に位置する第２の水平層と、前記第２の水平層の下に位置する第３の水平層とを備えるマットレスを備える装置であって、
前記第１の水平層はラテックスフォームを備え、
前記第２の水平層はメモリフォームを備え、
前記第３の水平層はポリウレタンフォームを備え、
前記第２の水平層は、１立方フィート（０．０２８３立方メートル）当たり０．９０７〜２．７２キログラム（２〜６ポンド）の密度を有し、
前記第１の水平層は、４０％を上回る反発を有し、
前記第１の水平層は、毎分約０．０９９１立方メートル（３．５立方フィート）を上回るエアフローを有し、
前記第１の水平層は、約０．５秒未満の復元性を有する装置。
【請求項２３】
前記第２の水平層は、毎分少なくとも０．０２８３立方メートル（１立方フィート）のエアフローを有する、請求項２２に記載の装置。
【請求項２４】
前記第２の水平層は、２．６未満のサポート係数を有する、請求項２２に記載の装置。
【請求項２５】
前記第２の水平層は、４．４４°Ｃ〜２６．７°Ｃ（４０°Ｆ〜８０°Ｆ）のガラス転移温度を有する、請求項２２に記載の装置。
【請求項２６】
第１の水平層と、前記第１の水平層の下に位置する第２の水平層と、前記第２の水平層の下に位置する第３の水平層とを備えるマットレスを備える装置であって、
前記第１の水平層はラテックスフォームを備え、
前記第２の水平層はメモリフォームを備え、
前記第３の水平層はポリウレタンフォームを備え、
前記第３の水平層は、１立方フィート（０．０２８３立方メートル）当たり０．４５４〜１．８１キログラム（１〜４ポンド）の密度を有し、
前記第１の水平層は、４０％を上回る反発を有し、
前記第１の水平層は、毎分約０．０９９１立方メートル（３．５立方フィート）を上回るエアフローを有し、
前記第１の水平層は、約０．５秒未満の復元性を有する装置。
【請求項２７】
前記第３の水平層は、６．８０〜２２．７キログラム（１５〜５０ポンド）の２５％窪み力による撓みを有する、請求項２６に記載の装置。
【請求項２８】
第１の水平層と、前記第１の水平層の下に位置する第２の水平層と、前記第２の水平層の下に位置する第３の水平層とを備えるマットレスを備える装置であって、
前記第１の水平層はラテックスフォームを備え、
前記第２の水平層はメモリフォームを備え、
前記第３の水平層はポリウレタンフォームを備え、
前記第３の水平層は、６．８０〜２２．７キログラム（１５〜５０ポンド）の２５％窪み力による撓みを有し、
前記第１の水平層は、４０％を上回る反発を有し、
前記第１の水平層は、毎分約０．０９９１立方メートル（３．５立方フィート）を上回るエアフローを有し、
前記第１の水平層は、約０．５秒未満の復元性を有する装置。
【発明の詳細な説明】
【技術分野】
【０００１】
本出願は、２０１４年４月２１日に出願された米国特許仮出願第６１／９８２，２３５号の利益を主張するものである。
【０００２】
本開示は、マットレスの構造、運搬、および洗浄に関する改良された特徴を有するフォームマットレスに関する。
【背景技術】
【０００３】
米国において販売される主なマットレスの種類は従来のスプリングマットレスであるが、ラテックスフォームマットレスおよび粘弾性（メモリ）フォームマットレスの両者が高級種マットレスとして米国内で販売されている。
【０００４】
ラテックスフォームおよびメモリフォームは、マットレスの構造および設計における利点および欠点を有する。ラテックスフォームは非常に早い復元性を有し（すなわち、「弾力があり」）、通気性が高く、天然素材または合成材料を用いて製造され得る。天然素材が用いられる場合、マットレスは、その特質を加味して市場に売り出すことができる。それにもかかわらず、ラテックスフォームマットレスは、多くの場合、ユーザがラテックスフォームマットレスの上で感じる共振「振動」および／または不十分なプレッシャーリリーフが原因となり、米国内で販売されるあらゆる種類のマットレスの中で最も高い返品率を有する。
【０００５】
メモリフォームマットレス市場は、たとえば宇宙時代技術との提携や手が離れた後にフォーム上層に「ついた」手形の画像など新しいマーケティング技術を用いて、テンピュール・ペディック社によりほぼ単独で開拓された。粘弾性メモリフォームは、その緩慢な復元性（すなわち記憶性）によって、プレッシャーリリーフを助けるものとして、また、フォームが振動を伝えないことによって寝ている者同士を互いに断絶させることができるものとして売り出された。しかしメモリフォームマットレスもまた、多くの場合、１）「身動きの取りづらさ」（すなわち、寝る姿勢を変える際に寝返りを打つことができないこと）、２）過熱（このフォームは通気性が高くなく、身体に沿うことによってフォームが身体の大部分を密接に抱え込み空気の流れを制限する）、および３）「身動きが取りづらい」という性質により性交中の心地良さが導かれにくいことなどの苦情が原因となり、ある程度高い返品率を有する。
【０００６】
また、ラテックスフォームおよびメモリフォームはいずれも高価な材料である。製造業者は多くの場合、しばしば快適層と称されるマットレスの上層のみにそれらを使用する。快適層は通常１〜５インチの厚さであり、一般的に、重ね合わされた異なる１〜３種類のフォームから成る。これらの層の下に、ある程度のサポートを提供し、かつマットレスの厚みを増すために、通常、標準的なポリウレタンフォームが用いられる。一部の新型「ハイブリッド」マットレスは、ポリウレタンフォームの代わりにポケットスプリングコイルを用いる。メモリフォームの「身動きが取りづらい」感覚に対処するために、一部の製造業者は、即応性メモリフォームを開発してきた。他の製造業者は、ユーザがフォームに沈み込み得る深さを抑えるために、より薄いメモリフォームの層（頂部ポリフォーム）を用いる。いくつかの製造業者は、ラテックスフォームがもたらす迅速な復元性（すなわち弾力）の利益を享受するために、メモリフォームの下にラテックスフォームを取り入れている。しかしこの解決策は、メモリフォームがマットレスの上層である場合の上記の問題点を解決できない。
【０００７】
よって、メモリフォームの身体に沿ったプレッシャーリリーフと、ユーザがメモリフォームにおいて「身動きが取りづらく」なることを防ぐラテックスフォームの迅速な復元性とを取り合わせ、マットレスの弾力性を向上させる新規のフォームマットレス構造へのニーズがある。そのような構成は、ラテックスフォームの共振振動および乏しいプレッシャーリリーフ特性を緩和するとともに、ラテックスフォームの通気性および弾力性の利益を享受する。
【０００８】
個別の図を通して同様の参照番号が同一または機能的に類似した要素を指す添付図面は、以下の詳細な説明とともに本明細書に組み込まれてその一部を成し、特許請求される創意を含む概念の実施形態を詳しく示すために役立ち、それらの実施形態の様々な原理および利点を説明するものである。
【図面の簡単な説明】
【０００９】
【図１】いくつかの実施形態に係る３層マットレスの断面図である。
【図２】いくつかの実施形態に係る４層マットレスの断面図である。
【図３】いくつかの実施形態に係る５層マットレスの断面図である。
【図４Ａ】いくつかの実施形態に係る巻き上げられたマットレスの斜視図である。
【図４Ｂ】いくつかの実施形態に係る巻き上げられたマットレスの斜視図である。
【図５Ａ】いくつかの実施形態に係る着脱式カバーを有するマットレスの斜視図である。
【図５Ｂ】いくつかの実施形態に係る着脱式カバーを有するマットレスの斜視図である。
【図６】Ａ−Ｂ。いくつかの実施形態に係る着脱式カバーを有するマットレスの斜視図である。
【図７Ａ】いくつかの実施形態に係るボタン留めカバーを有するマットレスの斜視図である。
【図７Ｂ】いくつかの実施形態に係るボタン留めカバーを有するマットレスの斜視図である。
【図７Ｃ】いくつかの実施形態に係るボタン留めカバーを有するマットレスの斜視図である。
【発明を実施するための形態】
【００１０】
当業者は、図内の要素が簡略化および明確化のために示され、必ずしも正確な縮尺率ではないことを理解するであろう。たとえば図内の要素のいくつかの寸法は、本発明の実施形態をより良く理解する助けとなるように他の要素に比べて大きく示され得る。
【００１１】
装置および方法の構成要素は、図内で従来の記号によって適宜表され、本明細書における記載がもたらす利益を得る当業者には容易に分かる詳細によって本開示を不明瞭にしないために、本発明の実施形態の理解に関連する特定の詳細のみを示す。
【００１２】
Ｉ．定義
【００１３】
本開示において、用語の一覧は以下のとおり定義される。
【００１４】
フォームの密度とは、単位体積当たりのフォーム質量である。密度は、１立方フィート（０．０２８３立方メートル）当たりのキログラム（ｋｇ）（ポンド（ｐｃｆ））単位で測定され得る。
【００１５】
ＩＦＤとは窪み力による撓みであり、フォームの硬さおよび耐荷力を決定するための方法である。ＩＦＤは、フォーム試験体に５０平方インチ（０．０３２３平方メートル）の圧力プラテンを押し込むために必要な負荷を測定する。ＩＦＤは通常、試験体高さの２５％の撓みについて報告され、キログラム（ポンド）単位で測定される。ＩＦＤは、ＡＳＴＭ  Ｄ３５７４−１１試験Ｂ１によって測定され得る。
【００１６】
エアフローとは、フォームの通気性の程度であり、立方メートル毎分（ｃｍｍ）（立方フィート毎分（ｃｆｍ））単位で測定される。エアフローは、ＡＳＴＭ  Ｄ３５７４−１１試験Ｇによって測定され得る。

【００１７】
復元性とは、フォームが動かされた後どれほどの早さで元の形状に戻るかの程度であり、秒単位で測定される。復元性は通常、粘弾性フォームのメモリ効果を測定するために用いられる。復元性は、ＡＳＴＭ  Ｄ３５７４−１１試験Ｍによって測定され得る。
【００１８】
反発とは、フォームの弾性の程度であり、パーセンテージとして測定される。鋼球がフォーム試験体に落とされ、それが跳ね返る高さの（落下高さに対する）パーセンテージが測定される。反発は、ＡＳＴＭ  Ｄ３５７４−１１試験Ｈによって測定され得る。
【００１９】
サポート係数（ＳＦ）とは、２５％ＩＦＤに対する６５％ＩＦＤの比であり、単位の無い測定値である。ＳＦは、フォームの「より深い」サポートの程度であり、フォームが底付きするか否かに関する指標である。ＳＦは、ＡＳＴＭ  Ｄ３５７４−１１試験Ｂ１によって測定され得る。
【００２０】
Ｔｇとは、フォームのガラス転移温度である。これは全てのフォームの特性であるが、メモリフォームが通常環境温度（４．４４°Ｃ〜２６．７°Ｃ（４０°Ｆ〜８０°Ｆ））の範囲内のＴｇを有するという理由から、メモリフォームに特に関連する。Ｔｇは、フォームが硬い状態から柔らかい状態に変わる点である。Ｔｇより下では、フォームは硬い。Ｔｇより上では、フォームは柔らかい。温度が数度しか変わらない場合でも、機械的特性におけるこの変異は著しくなり得る。Ｔｇは、動的機械分析（ＤＭＡ）または熱応力解析（ＴＳＡ）によって測定され得る。
【００２１】
ラテックスフォームとは、ｉ）反発が４０％を上回り、ｉｉ）エアフローが０．０９９１ｃｍｍ（３．５ｃｆｍ）を上回り、かつｉｉｉ）復元性が０．５秒未満であり得る、任意の高反発フォームである。ラテックスフォームは、天然ラテックス、スチレンブタジエンゴム（ＳＢＲ）、ポリウレタン、または上記フォームの任意の混合物であってよい。
【００２２】
ラテックス状フォームとは、（ｉ）反発が４０％を上回り、ｉｉ）エアフローが０．０９９１ｃｍｍ（３．５ｃｆｍ）を上回り、かつｉｉｉ）復元性が０．５秒未満であり得るというラテックスフォームの機械的特性を模擬することが意図された任意のフォームであり、ポリウレタン、ポリエチレン、または他の非天然樹脂や非ＳＢＲ樹脂、あるいは上記フォームの任意の混合物を用いたものである。
【００２３】
メモリフォームとは、低反発、遅い復元性、および感温応答を有する任意のポリウレタンフォームである。具体的には、ｉ）反発が１〜２％であり、ｉｉ）復元性が１秒を上回り、かつｉｉｉ）感温応答は、体温に反応して軟化し４．４４°Ｃ〜２６．７°Ｃ（４０°Ｆ〜８０°Ｆ）のＴｇを有するフォームであってよい。
【００２４】
ＩＩ．マットレスの長さおよび幅
【００２５】
本明細書に記載されるマットレスは、たとえばキング、クイーン、フル、ツイン、エクストラロング、カリフォルニアキング、ユース、およびベビーベッドなど米国または米国外の規格サイズを非限定的に含む任意の適切な長さおよび幅であってよい。
【００２６】
ＩＩＩ．３層マットレス
【００２７】
図１を参照すると、カバー１１０を有する３層マットレス１００の断面図が示される。マットレス１００の深さ方向の断面図は、第１層１２０、第２層１３０、および第３層１４０を含む。
【００２８】
Ａ．第１の実施形態
【００２９】
第１の実施形態において、マットレス１００の全深さ１８０は２４．１センチメートル（９．５インチ）であってよい。マットレス１００の第１層の深さ１５０は３．８１センチメートル（１．５インチ）であってよい。マットレスの第２層の深さ１６０は３．８１センチメートル（１．５インチ）であってよい。マットレスの第３層の深さ１７０は１６．５センチメートル（６．５インチ）であってよい。
【００３０】
この第１の実施形態において、第１層１２０は、ラテックスフォームの層である。第１層１２０は、Ｍｏｕｎｔａｉｎ  Ｔｏｐ  Ｆｏａｍ社製のＣ１ラテックスから成ってよく、表１に示す物理特性を有し得る。
【００３１】
【表１】
0006674446.tif 000002
【００３２】
表１において、右端の２列は、第１層１２０に関する物理特性の潜在範囲を示す。
なお、表１中の密度、２５％ＩＦＤおよびエアフローそれぞれの潜在範囲と単位は、下記に対応する。
・密度：０．０２８３ｍ３当たり０．９０７〜１．８１ｋｇ（２〜４ｐｃｆ）
・２５％ＩＦＤ：２．７２〜８．１６ｋｇ（６〜１８ｌｂ）
・エアフロー：＞０．０５６６ｃｍｍ（＞２ｃｆｍ）
【００３３】
第２層１３０は、メモリフォームの層である。第２層１３０は、Ｖｉｓｃｏ社製４ｌｂメモリフォームから成ってよく、表２に示す物理特性を有し得る。
【００３４】
【表２】
0006674446.tif 000003
【００３５】
表２において、右端の２列は、第２層１３０に関連する物理特性の潜在範囲を示す。
なお、表２中の密度、２５％ＩＦＤ、エアフローおよびＴｇそれぞれの潜在範囲と単位は、下記に対応する。
・密度：０．０２８３ｍ３当たり０．９０７〜２．７２ｋｇ（２〜６ｐｃｆ）
・２５％ＩＦＤ：２．７２〜８．１６ｋｇ（６〜１８ｌｂ）
・エアフロー：＞０．０２８３ｃｍｍ（＞１ｃｆｍ）
・Ｔｇ：４．４４〜２６．７°Ｃ（４０〜８０°Ｆ）
【００３６】
マットレス産業において、フォームを説明するために用いられる２つの重要なパラメータはＩＦＤおよびＳＦである。標準試験プロトコルは、試験体のサイズおよびこれらのパラメータに関する負荷状況を指定し、測定に一貫性をもたらす。そのような試験プロトコルは、ＡＳＴＭ  Ｄ３５７４−１１に見られ得る。
【００３７】
ＩＦＤは、フォームの硬さの指標であり、ユーザがフォームを押し込んだ時にフォームが押し返す力がどの程度かを示す。業界規範は、比較のための基準として２５％ＩＦＤの数値を用いるので、ＩＦＤ８のフォーム（３．６３キログラム（８ポンド）の押し返し）はＩＦＤ２０のフォーム（９．０７キログラム（２０ポンド）の押し返し）よりも柔らかく感じる。
【００３８】
ＳＦは、フォームの「より深い」サポートを表し、フォームが底付きするか否かに関する指標である。ＳＦは、６５％ＩＦＤと２５％ＩＦＤとの比であり、すなわち、試験体の元の高さの６５％までそれを押し下げるために要する力と、試験体の元の高さの２５％までそれを押し下げるために要する力（基準ＩＦＤ測定値）との比である。ＳＦは、シングルタイプのフォームが、ユーザがフォームを押し込む力に比べどの程度多く押し返すかを示す。よって、３のＳＦおよび８のＩＦＤを有するフォームは、６５％の圧縮に１０．９キログラム（２４ポンド）の力で押し返すのに対し、２のＳＦを有するＩＦＤ８のフォームは、６５％の圧縮に７．２６キログラム（１６ポンド）の力でしか押し返さない。
【００３９】
線形「スプリング」フォームは概して２．６のＳＦを有する。ラテックスフォームおよびラテックス状フォームは通常、より高いＳＦ（約３．０〜３．３）を有する。メモリフォームは通常、より低いＳＦ（約２．０〜２．２）を有する。これらの差は、マットレス全体の感触において非常に重要である。
【００４０】
マットレス産業において、フォームの上層は圧点を減らすために最も低いＳＦを有するべきであり、ＳＦは下方の層ほど大きくなるべきであるということが、広く認知された経験則であった。ラテックスフォームまたはラテックス状フォームから成る第１層１２０を、メモリフォームから成る第２層１３０の上に設けることにより、ＳＦに関する通例の規則は反転される。それにもかかわらず、マットレスのユーザに成功体験が実現されるのは、ベッドのフォーム層が一連のスプリングとして機能するためである。この構成は、メモリフォームのプレッシャーリリーフおよび動きの断絶を保ちながら、メモリフォームの「身動きの取りづらさ」を軽減する。同時に、この構成は、ラテックスまたはラテックス状フォームの共振振動および乏しいプレッシャーリリーフの特性を緩和するとともに、ラテックスまたはラテックス状フォームの通気性および弾力性の利益を享受する。
【００４１】
第３層１４０は、マットレスの全体のサポートおよび深さを足すものであり、０．０２８３ｍ３当たり０．８１６ｋｇ（１．８ｐｃｆ）の従来のポリウレタンフォームから成ってよく、表３に示す物理特性を有し得る。
【００４２】
【表３】
0006674446.tif 000004
【００４３】
表３において、右端２列は、第３層１４０に関する物理特性の潜在範囲を示す。
なお、表３中の密度、２５％ＩＦＤおよびエアフローそれぞれの潜在範囲と単位は、下記に対応する。
・密度：０．０２８３ｍ３当たり０．４５４〜１．８１ｋｇ（１〜４ｐｃｆ）
・２５％ＩＦＤ：６．８０〜２２．７ｋｇ（１５〜５０ｌｂ）
・エアフロー：＞０．０５６６ｃｍｍ（＞２ｃｆｍ）
【００４４】
Ｂ．第２の実施形態
【００４５】
第２の実施形態において、マットレス１００の全深さ１８０は、２．５４〜５５．９センチメートル（１〜２２インチ）の範囲であってよい。マットレス１００の第１層の深さ１５０は、０．６３５〜１２．７センチメートル（０．２５〜５インチ）の範囲であってよい。マットレスの第２層の深さ１６０は、０．６３５〜１２．７センチメートル（０．２５〜５インチ）の範囲であってよい。マットレスの第３層の深さ１７０は、１．２７〜３０．５センチメートル（０．５〜１２インチ）の範囲であってよい。
【００４６】
第２の実施形態は、第１層１２０がラテックスフォームまたはラテックス状フォームであり、第２層１３０がメモリフォームであるという点において第１の実施形態と同様である。第３層１４０は、ｉ）ラテックスフォーム、ｉｉ）ラテックス状フォーム、ｉｉｉ）ポリウレタン粘弾性「メモリ」フォーム、ｉｖ）従来のポリウレタンフォーム、ｖ）ＨＲ（高反発）ポリウレタンフォーム、またはｖｉ）他の任意のポリウレタンフォーム、ポリエチレンフォーム、またはポリエステルフォームのいずれかであってよい。
【００４７】
ＩＶ．４層マットレス
【００４８】
図２を参照すると、カバー２１０を有する４層マットレス２００の断面図が示される。マットレス２００の深さ方向の断面図は、第１層２２０、第２層２３０、第３層２４０、および第４層２５０を含む。
【００４９】
マットレス２００の全深さ２９５は、２．５４〜５５．９センチメートル（１〜２２インチ）の範囲であってよい。マットレス２００の第１層の深さ２６０は、０．６３５〜１２．７センチメートル（０．２５〜５インチ）の範囲であってよい。マットレスの第２層の深さ２７０は、０．６３５〜１２．７センチメートル（０．２５〜５インチ）の範囲であってよい。マットレスの第３層の深さ２８０は、０．６３５〜１２．７センチメートル（０．２５〜５インチ）の範囲であってよい。マットレスの第４層の深さ２９０は、０．６３５〜３０．５センチメートル（０．２５〜１２インチ）の範囲であってよい。
【００５０】
第１層２２０は、ラテックスフォームまたはラテックス状フォームであってよい。第２層２３０、第３層２４０、および第４層２５０は、ｉ）ラテックスフォーム、ｉｉ）ラテックス状フォーム、ｉｉｉ）ポリウレタン粘弾性「メモリ」フォーム、ｉｖ）従来のポリウレタンフォーム、ｖ）ＨＲ（高反発）ポリウレタンフォーム、またはｖｉ）他の任意のポリウレタンフォーム、ポリエチレンフォーム、またはポリエステルフォームのいずれかであってよい。一実施形態において、第２層２３０、第３層２４０、および第４層２５０の少なくとも１つはメモリフォームである。一実施形態において、少なくとも１つの上層は、その上層より下の層と比べて高いＳＦを有する。
【００５１】
Ｖ．５層マットレス
【００５２】
図３を参照すると、カバー３０５を有する５層マットレス３００の断面図が示される。マットレス３００の深さ方向の断面図は、第１層３１０、第２層３１５、第３層３２０、第４層３２５、および第５層３３０を含む。
【００５３】
マットレス３００の全深さ３６０は、３．１８〜５５．９センチメートル（１．２５〜２２インチ）の範囲であってよい。マットレス３００の第１層の深さ３３５は、０．６３５〜１２．７センチメートル（０．２５〜５インチ）の範囲であってよい。マットレスの第２層の深さ３４０は、０．６３５〜１２．７センチメートル（０．２５〜５インチ）の範囲であってよい。マットレスの第３層の深さ３４５は、０．６３５〜１２．７センチメートル（０．２５〜５インチ）の範囲であってよい。マットレスの第４層の深さ３５０は、０．６３５〜１２．７センチメートル（０．２５〜５インチ）の範囲であってよい。マットレスの第５層の深さ３５５は、０．６３５〜３０．５センチメートル（０．２５〜１２インチ）の範囲であってよい。
【００５４】
第１層３１０は、ラテックスフォームまたはラテックス状フォームであってよい。第２層３１５、第３層３２０、第４層３２５、および第５層３３０は、ｉ）ラテックスフォーム、ｉｉ）ラテックス状フォーム、ｉｉｉ）ポリウレタン粘弾性「メモリ」フォーム、ｉｖ）従来のポリウレタンフォーム、ｖ）ＨＲ（高反発）ポリウレタンフォーム、またはｖｉ）他の任意のポリウレタンフォーム、ポリエチレンフォーム、またはポリエステルフォームのいずれかであってよい。一実施形態において、第２層３１５、第３層３２０、第４層３２５、および第５層３３０の少なくとも１つはメモリフォームである。一実施形態において、少なくとも１つの上層は、その上層よりも下の層と比べて高いＳＦを有する。
【００５５】
ＶＩ．マットレスの運搬
【００５６】
マットレスの移動は厄介な仕事である。たとえばクイーンサイズのマットレスは最大４５．５キログラム（１００ポンド）もの重さがあり、概して柔らかく搬送に不向きである。それらは、出入口を通過したり、階段で降ろしたり、車内に搬入したりすることが困難である。そのため、多くの人々が、マットレスを移動させる負担や費用が非常に大きいという理由から、転居の際にマットレスを廃棄することになる。
【００５７】
図４Ａを参照すると、マットレスが廃棄されず、より長期間にわたり所有者にとって価値を持つように、移動を容易にする２つの特徴を有するマットレスシステム４００が示される。マットレス本体４０５は、設計に組み込まれたストラップ４１０、４１２、４１４を含み、それらは、マットレスを一巻きした、あるいは折畳んだ運搬しやすい形状に固定する。ストラップは、ウェビング、紐、または高い引張り強度を有する他の任意の材料であってよい。ストラップは、結束するか、バックルを有するか、またはストラップがマットレスをまとめることができるような他の任意の留め具４２０、４２２、４２４を含んでよい。ユーザはマットレスを手動で巻き上げ、および／または折り畳み、ストラップは、一巻きされたマットレスが容易に縛り合わせられ得るために都合の良い場所に設けられる。ストラップを一体化させることによって、巻き上げ縛り合わせる工程は容易になり、運送のためにマットレスを巻くための適切な用具を全てのユーザが手近に所有していることが確実である。
【００５８】
図４Ｂを参照すると、マットレスシステム４００の別の図が示される。ストラップ４１０、４１２、４１４に加え、マットレス本体４０５は、固定機構４４０によって取り付けられた一体型の背負い用、肩掛け用、および／または手持ち用ストラップ４２０、４３０を有し、それらによって、１人または複数の人間がマットレス本体４０５を肩および／または背に乗せて容易に搬送することができる。これによって持ち運びが非常に楽になり、所有者が彼らの新居へマットレスを持って行く可能性が高くなり、また最小限の面倒でそれができるようになる。
【００５９】
他の実施形態において、シンチストラップおよび搬送用ストラップは、マットレスと一体型ではなく、別個の「覆い」や袋の一部である。
【００６０】
ＶＩＩ．一体型マットレスウォッシャブルパッド
【００６１】
マットレスは高価な買い物であるが汗および／または他の体液によってしばしば汚れが付く。シーツおよびマットレスパッド（マットレスを保護するために用いられる別売りのカバー）とともに使用しても、マットレスは汚れる。ほぼ全ての場合、マットレス自体のカバーは、局所洗浄によってしか洗濯ができない。限られた数のマットレス（多くの場合、布団形式）は、ジッパー式で完全に取り外して洗濯することができるカバーを有し得るが、これは、重いマットレスのたいそうな取扱いを要するために概して面倒な工程である。マットレスの汚れはそれらの再販価値を下げ、人々が転居や異なるマットレスへの買い替えを決意した際に彼らの友人にマットレスを贈与することを躊躇わせ得る。
【００６２】
図５Ａを参照すると、マットレス本体５１０と、本来のマットレスカバーを汚れから保護し、マットレスを「リフレッシュ」するために洗濯または新しいものと交換することができる着脱式マットレスカバー５２０という取外し可能部分とを含むマットレスシステム５００が示される。この実施形態において、マットレスカバー５２０は、マットレス本体５１０の上面全体を被覆しており、固定機構５３０によってマットレス本体５１０に固定される。これは、清潔な表面を素早く提供するためにリバーシブルであってよく、汚れを目立たせないためにマットレス本体５１０とは異なる色であってよい。
【００６３】
固定機構５３０は、マットレス本体５１０の全周でほぼ同じ深さで固定されてよく、面ファスナー、ジッパー、ボタン、スナップ、紐、またはそれらの任意の組み合わせから成ってよい。
【００６４】
図５Ｂを参照すると、マットレス本体５１０と、本来のマットレスカバーを汚れから保護し、マットレスを「リフレッシュ」するために洗濯または新しいものと交換することができる着脱式マットレスカバー５５０という取外し可能部分とを含むマットレスシステム５０５が示される。この実施形態において、マットレスカバー５５０は、マットレス本体５１０の上面の一部を被覆しており、固定機構５４０によってマットレス本体５１０に固定される。マットレスカバー５５０は、最も体液を吸収しやすい場所（頭部から大腿上部にかけての領域）に設置され得る。これは、マットレス本体５１０の上面のみを被覆し得るので、容易に取り外して洗濯することができる。これは、清潔な表面を素早く提供するためにリバーシブルであってよく、汚れを目立たせないために本来のマットレスとは異なる色であってよい。
【００６５】
固定機構５４０は、マットレスカバー５５０を最適に固定するようにマットレス本体５１０の周囲でほぼ同じ深さで固定され得る。固定機構５４０は、面ファスナー、ジッパー、ボタン、スナップ、紐、またはそれらの任意の組み合わせから成ってよい。
【００６６】
図６Ａおよび図６Ｂを参照すると、マットレス本体５１０の一部を取り巻く着脱式マットレスパッド６１０を有するマットレスシステム６００が示される。マットレスパッド６１０は、最も体液を吸収しやすい場所（頭部から大腿上部にかけての領域）に設置され得る。これは、マットレス本体５１０の上面のみを被覆し得るので、容易に取り外して洗濯することができる。これは、清潔な表面を素早く提供するためにリバーシブルであってよく、汚れを目立たせないためにマットレス本体とは異なる色であってよい。
【００６７】
図７Ａを参照すると、着脱式マットレスパッド７３０を有するマットレスシステム７００が示される。これは、マットレス本体５１０に取り付けられたボタン７１０およびマットレスパッド７３０に設けられたボタンホール７２０によってマットレス本体５１０に固定される。図７Ｂを参照すると、マットレスに取り付けられたボタン７１０によってマットレスパッド７３０がマットレス本体（不図示）に取り付けられているマットレスシステム７０４が示される。図７Ｃを参照すると、マットレス本体７６０に取り付けられたボタン７１０によってマットレスパッド７５０がマットレス本体７６０の一部に取り付けられているマットレスシステム７０６が示される。マットレスパッド７３０、７５０は、清潔な表面を素早く提供するためにリバーシブルであってよく、汚れを目立たせないために本来のマットレスとは異なる色であってよい。
【００６８】
本明細書において、特定の実施形態が説明されている。しかし、当業者は、以下に示す特許請求の範囲に記載されるような本発明の範囲から逸脱することなく様々な改変および変更が為され得ることを理解する。よって、本明細書および図面は限定的な意味ではなく例示的な意味において受け止められるべきであり、そのような改変は全て本教示の範囲内に含まれることが意図されている。
【００６９】
利益、利点、問題に対する解決策、および任意の利益、利点、または解決策が生じ、または顕著になる要因となり得る任意の要素は、特許請求の範囲の一部または全部における重大、必須、または不可欠な特徴または要素として解釈されてはならない。本発明は、本出願の係属中に生じるあらゆる補正、および特許となった特許請求の範囲の全ての均等物を含む、添付の特許請求の範囲によってのみ定義されるものである。
【００７０】
さらに、本文書において、たとえば第１および第２や上下などの関係語は、１つのエンティティや動作を他のエンティティや動作と区別するためだけに用いられてよく、必ずしもそのようなエンティティや動作間の任意の実際のそのような関係性または順序を必要とし、または暗示するものではない。「備える」、「備えている」、「有する」、「有している」、「含む」、「含んでいる」、「包含する」、「包含している」、またはそれらの他の任意の変化形は、列挙された要素を備え、有し、含み、包含する工程、方法、物品、または装置がそれらの要素のみを含むのではなく、明確に記載されていないか、またはそのような工程、方法、物品、または装置に固有である他の要素を含み得るように、包括的な包含をカバーすることが意図されている。「・・・を備える」、「・・・を有する」、「・・・を含む」、「・・・を包含する」という語句に続く用語は、追加の制約がない限り、その要素を備え、有し、含み、包含する工程、方法、物品、または装置における追加の同一要素の存在を除外するものではない。本明細書において、「ａ」および「ａｎ」という語は、例外が明記されない限り、１または複数として定義される。「実質的に」、「本質的に」、「約」、「およそ」、またはそれらの他の任意の変化形は、当業者によって理解されるものと近いものとして定義される。「結合される」という用語は本明細書で用いられる場合、連結されると定義されるが、必ずしも直接的に連結され、また機械的に連結されるとは定義されない。特定の方法で「構成される」装置または構造は、少なくともその方法で構成されるが、記載されていない方法で構成されてもよい。
【００７１】
本開示の要約は、読者が本技術開示の本質を迅速に確認できるように提供される。要約は、特許請求の範囲の範囲または意味を説明または限定するために用いられるものではないという理解の上に提示される。また、上述した詳細な説明において、本開示を効率化する目的のために様々な特徴が様々な実施形態においてまとめられることが分かる。この開示方法は、特許請求される実施形態が各請求項に明記されるもの以外の特徴を必要とするという意図を示すものとして解釈されてはならない。そうではなく、以下の特許請求の範囲は、開示された単一の実施形態の全ての特徴に発明の主題事項があるのではないことを示す。よって、以下の特許請求の範囲がこれによって詳細な説明に包含され、各請求項は、個別に特許請求される主題事項として単独で存在するものである。
【図１】
0006674446.tif 000005
【図２】
0006674446.tif 000006
【図３】
0006674446.tif 000007
【図４Ａ】
0006674446.tif 000008
【図４Ｂ】
0006674446.tif 000009
【図５Ａ】
0006674446.tif 000010
【図５Ｂ】
0006674446.tif 000011
【図６Ａ】
0006674446.tif 000012
【図６Ｂ】
0006674446.tif 000013
【図７Ａ】
0006674446.tif 000014
【図７Ｂ】
0006674446.tif 000015
【図７Ｃ】
0006674446.tif 000016